(57)【要約】【課題】複数螺合連結できる錘でありながら、螺合部が変形し難く、潮流に揉まれても容易に分離せず、任意部材を着脱自在に螺着可能な錘を提供する。【解決手段】錘１’は、上下両端から軸心上に穿設された下方ネジ穴１２及び上部ネジ穴１３と、側面における、軸心に対して互いに対称な位置に横設された挟持用凹溝１１，１１を有し、略円柱形状に形成されている。天秤式仕掛け，集魚部材等の雄ネジ部を有する任意部材を螺着し、又は連結ネジを介して複数の錘１’，…を螺着連結することができる。挟持用凹溝１１，１１に挟持具を当接させ錘１’を挟持することによって、雄ネジ部を有する任意部材と固く螺合でき、該螺合は、海中の強く複雑な潮流に揉まれても分離し難い。また、潮流に流され難く根掛りし難い略円柱形であり、集魚部材や天秤式仕掛けを所望の深さで用いることができ、特に船釣りに適する。【選択図】図４
0003146268.tif 000002
【実用新案登録請求の範囲】
【請求項１】
下端から軸心上に穿設された下方ネジ穴と、側面における、軸心に対して互いに対称な位置に横設された挟持用凹溝を有することを特徴とする錘。
【請求項２】
上端から軸心上に穿設された上方ネジ穴を有することを特徴とする請求項１に記載の錘。
【請求項３】
上方ネジ穴に螺着された、上端に環状部を有する結びネジを具えてなることを特徴とする請求項２に記載の錘。
【請求項４】
下方ネジ穴に連結ネジが螺着され、該連結ネジに、請求項２に記載の他の錘の上方ネジ穴が螺着されてなることを特徴とする請求項１乃至請求項３の何れか１項に記載の錘。
【請求項５】
略円柱形状に形成されてなることを特徴とする請求項１乃至請求項４の何れか１項に記載の錘。
【請求項６】
下方ネジ穴に螺着された、蓄光性又は発光性の集魚部材を具えてなることを特徴とする請求項１乃至請求項５の何れか１項に記載の錘。
【請求項７】
下方ネジ穴に螺着された、天秤式仕掛けを具えてなることを特徴とする請求項１乃至請求項５の何れか１項に記載の錘。
【考案の詳細な説明】
【技術分野】
【０００１】
本考案は、釣り用の錘に関する。
【背景技術】
【０００２】
重量の異なる複数種の錘を持ち運ぶ手間を省き、螺合連結し又は分離することによって、簡便に重量調整可能とした錘が開示されている。
【０００３】
例えば、円柱体の軸線上に、上端にオネジを突出させ、下端内部にはメネジの凹孔が同一軸線上に形成されており、オネジの頂には釣糸の係止部が形成されてなり、複数のオモリを順次螺合して連結することにより重量調整ができるようになっている釣用自在オモリが開示されている（例えば、特許文献１参照）。
【０００４】
また、複数個連結して構成される釣り用組合わせ形おもりであって、柱状のおもり本体と、前記おもり本体の上面部に形成された吊下げ部と、前記おもり本体の上面部に形成された上面連結体と、前記おもり本体の下面部に形成されこのおもり本体の下面部が他のおもり本体の上面部に重ね合わされたとき他のおもり本体の上面連結体と協同して両者を着脱可能に連結する下面連結体とを具備してなる釣り用組合わせ形おもりが開示されている（例えば、特許文献２参照）。
【０００５】
【特許文献１】登録実用新案第３０２９７４６号公報
【特許文献２】実開平６−５０４７０号公報
【考案の開示】
【考案が解決しようとする課題】
【０００６】
しかしながら、上記特許文献１に記載の釣用自在オモリは、側面に一切の凹凸を持たない円柱形状であるから、複数の釣用自在オモリを螺合する際に滑り易く、固く連結することが困難である。そのため、海中の強く複雑な潮流に揉まれて、連結された釣用自在オモリが分離する虞がある。
【０００７】
オネジが、連結されていない状態で露出する形状であるから、釣用自在オモリを意図せず地面に落としてしまい、又は当該オモリが海中の岩に当ってしまうことによって、オネジが変形し、それ以降螺合連結できなくなる虞がある。
【０００８】
発光ダイオードを挿入し得る孔は設けられているものの、発光ダイオードに電圧を印加する部材については何ら開示されていず、特許文献１に記載の技術のみでは発光ダイオードを発光させ集魚効果を得ることは不可能である。例え電圧を印加するための部材を取り付けるとしても、釣用自在オモリの外周より外に配線が突出せざるを得ず、該配線が根掛りを起こし、又は潮流のために断線，漏電若しくは短絡する虞があり、錘としての使用に堪えない。前記孔が単に設けられているのみであるから、海中の強く複雑な潮流に揉まれ、発光ダイオードが容易に脱落する虞がある。
【０００９】
特許文献２に記載の釣り用組合わせ形おもりは、雄ねじの外周部に、雄ねじを保護するための環部が形成されているものの、当該錘を意図せず地面に落としてしまい、又は当該錘が海中の岩に当ってしまうことによって、環部が変形し、それ以降螺合連結できなくなる虞がある。
【００１０】
釣り用組合わせ形おもりが、側面に一切の凹凸を持たない円柱状とされている場合、複数の釣用自在オモリを螺合する際に滑り易く、固く連結することが困難である。多面体柱状の釣り用組合わせ形おもりは、スパナ，ラジオペンチ等の挟持具で挟持して螺合連結できるものの、挟持具が側面に沿って上下方向に滑る虞があり、必ずしも固く螺合連結できない。よって、特許文献２に記載の釣り用組合わせ形おもりを、潮流に抗して分離しない程度に固く連結することは困難である。
【００１１】
上記問題点に鑑み、本考案は、複数螺合連結できる錘でありながら、螺合部が変形し難く、潮流に揉まれても容易に分離しない錘を提供することを課題とする。また、集魚部材，天秤式仕掛け等の任意の部材を、着脱自在に螺着可能な錘を提供することを課題とする。
【課題を解決するための手段】
【００１２】
上記課題を解決する本考案は、
（１）下端から軸心上に穿設された下方ネジ穴と、側面における、軸心に対して互いに対称な位置に横設された挟持用凹溝を有する錘である。
【００１３】
（２）上端から軸心上に穿設された上方ネジ穴を有する上記（１）に記載の錘である。
【００１４】
（３）上方ネジ穴に螺着された、上端に環状部を有する結びネジを具えてなる上記（２）に記載の錘である。
【００１５】
（４）下方ネジ穴に連結ネジが螺着され、該連結ネジに、上記（２）に記載の他の錘の上方ネジ穴が螺着されてなる、上記（１）乃至（３）の何れかに記載の錘である。
【００１６】
（５）略円柱形状に形成されてなる上記（１）乃至（４）の何れかに記載の錘である。
【００１７】
（６）下方ネジ穴に螺着された、蓄光性又は発光性の集魚部材を具えてなる上記（１）乃至（５）の何れかに記載の錘である。
【００１８】
（７）下方ネジ穴に螺着された、天秤式仕掛けを具えてなる上記（１）乃至（５）の何れかに記載の錘である。
【考案の効果】
【００１９】
本考案に係る錘は、下方ネジ穴が穿設されているから、蓄光性又は発光性の集魚部材，天秤式仕掛け等、雄ネジ部を有する任意の部材を下方ネジ穴に螺着可能である。螺合に関わるのは下方ネジ穴のみであって、前記錘は、螺合されていない状態では、それ以外に突出した螺合部を持たない。そのため、たとえ前記錘を意図せず地面に落としてしまい又は前記錘が海中の岩に当たったとしても、螺合部が変形し使用不能となることを回避できる。
【００２０】
挟持するに適した位置に挟持用凹溝が設けられているから、挟持用凹溝に挟持具を当接させ本考案を挟持して、上記雄ネジ部を有する任意の部材と螺着し又は分離することができる。挟持用凹溝が軸心に対して垂直に設けられているから、螺合の際に挟持具が上下方向に滑ることを回避でき、挟持具で挟持し螺合する操作が容易であって、海中の強く複雑な潮流に揉まれても分離しない程度に固く螺着することができる。
【００２１】
上端から軸心上に穿設された上方ネジ穴を有する本考案の錘は、下方ネジ穴と上方ネジ穴に連結ネジを螺合し、複数の錘を固く螺着し連結することができる。螺着連結し又は分離することによって、簡便に錘の重量を調整することが可能であり、重量の異なる複数種の錘を持ち運ぶ手間を省くことができる。上記同様に、挟持用凹溝に挟持具を当接させて挟持し固く連結することが可能であり、複数連結された錘は、海中の強く複雑な潮流に揉まれても分離し難い。
【００２２】
上端に環状部を有する結びネジを上方ネジ穴に螺着し、前記環状部に道糸を結び付けることによって、前記錘を道糸に取り付けることができる。この場合、結びネジと錘は着脱自在であって、結びネジを道糸に結びつけたまま、錘を道糸に取り付け、取り外し、又は交換する操作を簡便に行える。
【００２３】
略円柱状に形成されてなる本考案の錘は、潮流に流され難く、根掛りし難いから、特に船釣りに適している。前記錘が複数連結されている場合においても、個々の錘の軸心は全て等しくされているから、同様の効果を奏する。
【００２４】
下方ネジ穴に螺着された、蓄光性又は発光性の集魚部材を具えてなる本考案の錘によれば、前記集魚部材による集魚効果が得られる。叙上の通り連結数を変えることによって錘を重量調整し所望深さで使用することができるから、前記集魚部材の集魚効果を所望深さで発揮させることができる。特に、船釣りにおいて有用である。
【００２５】
下方ネジ穴に螺着された、天秤式仕掛けを具えてなる錘によれば、所望深さで天秤式仕掛けを用いることができ、特に船釣りにおいて有用である。
【考案を実施するための最良の形態】
【００２６】
以下に、本考案を実施するための最良の形態を、実施例を示す図面を参照して詳細に説明する。尚、本実施例に、本考案は限定されるものではない。
【実施例１】
【００２７】
図１は、実施例１の錘を示す斜視図である。図２は、実施例１の錘を示す側方視断面図である。また、図３は、図２のＡ−Ａ線断面図である。
【００２８】
実施例１に係る錘１は、下端から軸心上に穿設された下方ネジ穴１２と、側面における、軸心に対して互いに対称な位置に横設された挟持用凹溝１１，１１を有している。
【００２９】
錘１は、金属で作製され、略円柱状に形成されている。材質として用いられる金属の種類は特に限定されないが、潮流に流されず所望深さに到達し得る様、銅，黄銅，鉛等の比重の大きな金属で作製されることが好ましい。腐食し易い金属を用いる場合には、鍍金等によって防錆処理を行うことが好ましい。
【００３０】
錘１の形状は特に限定されず、例えば、球型，太鼓型，ナス型，分銅型，ナツメ型，釣鐘型等任意の形状であって良いが、潮流に流され難く根掛りし難い柱状が好ましく、側面に稜部が無く特に根掛りし難い略円柱状が更に好ましい。
【００３１】
錘１の下端面には、下方ネジ穴１２が穿設されていて、雄ネジ部を有する各種部材が螺着可能とされている。
【００３２】
錘１の側面には、挟持用凹溝１１，１１が横設されている。挟持用凹溝１１，１１は錘１の軸心に対して互いに対称な位置に設けられていて、錘１は、挟持具で挟持し易い形状とされている。下方ネジ穴１２に雄ネジ部を有する部材を螺着する際、前記挟持具を挟持用凹溝１１，１１に当接させることによって錘１を確実に挟持できるから、前記部材を固く螺着することが可能である。挟持用凹溝が軸心に対して垂直に設けられているから、螺合の際に挟持具が上下方向に滑ることを回避でき、挟持具で挟持し螺合する操作が容易である。挟持用凹溝１１，１１は、錘１が略円柱状であり又は小径であって、素手で把持し難い場合に、特に有用である。
【００３３】
図中においては、挟持用凹溝１１，１１は、一定の幅で穿設された直線的な形状として示されているが、挟持具で挟持し易い形状であれば必ずしもこれに限定されず、例えば、水平方向の一端から他端に向け幅が漸増する形状とされていても良く、又は曲線的な形状とされていても良い。また、挟持用凹溝１１，１１を、軸心に対して斜め方向に設けることも可能である。
【００３４】
挟持用凹溝１１，１１の高さ位置は、軸心に対して互いに対称な位置で且つ側面に設けられていれば特に限定されない。また、必ずしも１対の挟持用凹溝１１，１１のみが設けられていることに限られず、２対以上の挟持用凹溝１１，…が設けられていても良い。
【００３５】
錘１の上端には環状部１ａが設けられていて、環状部１ａに道糸を結び付けることによって、錘１は道糸に取り付けられる。
【実施例２】
【００３６】
図４は、実施例２の錘を示す斜視図である。図５は、実施例２の錘を示す側方視断面図である。尚、以下の実施例においては、同一部分には同一符号を付して、詳細な説明は省略する。
【００３７】
実施例２に係る錘１’は、実施例１の錘１と同様に、下端から軸心上に穿設された下方ネジ穴１２と、側面における、軸心に対して互いに対称な位置に横設された挟持用凹溝１１，１１を有している。更に、上端から軸心上に穿設された上方ネジ穴１３を有している。
【００３８】
上方ネジ穴１３は、錘１’の上端に穿設されていて、雄ネジ部を有する各種部材が螺着可能とされている。また、下方ネジ穴１２と上方ネジ穴１３に連結ネジ２を螺合することによって、複数の錘１’ ，…を螺着連結することができる。この場合、下方ネジ穴１２及び上方ネジ穴１３が共に軸心上に穿設されているから、複数の錘１’，…を螺着連結し又は分離する操作を行い易い。複数の錘１’，…が連結され形成された錘も略円柱形状であり、潮流に流され難く根掛りし難い形状となる。
【実施例３】
【００３９】
図６は、実施例３の錘を示す斜視図である。図７は、実施例３の錘を示す側方視断面図である。
【００４０】
実施例３に係る錘は、実施例２の錘１’，…が連結ネジ２，２によって３個連結されてなり、上端に配置された錘１’の上方ネジ穴１３には、末端に環状部３ａを有する結びネジ３が螺着されている。最下端の錘１’の下方ネジ穴１２には、更に、集魚部材４が螺着されている。
【００４１】
連結ネジ２，２は、周面がネジ加工された、略円柱形状のイモネジである。連結ネジ２，２は金属で作製されるが、特にその金属材質を限定するものではない。腐食し易い金属を用いる場合には、鍍金等によって防錆処理を行うことが好ましい。また、上端及び下端付近がネジ加工されていれば良く、必ずしも上下方向の全周面がネジ加工されている必要は無い。
【００４２】
連結ネジ２の長さは特に限定されないが、螺着連結される錘１’，１’の間に空隙を生じない様に、連結ネジ２と螺合される下方ネジ穴１２及び上方ネジ穴１３の穿設深さの和に略等しくされ又は若干短くされていることが好ましい。同径で略円柱状の錘１’，…が連結された本実施例の錘は、略円柱状で側面に稜部を持たず、また上記の通り空隙を持たないから、根掛りし難い形状である。
【００４３】
錘１’，１’を連結ネジ２で螺着連結する時には、図６に示される様に、上方の錘１’の挟持用凹溝１１，１１と下方の錘１’の挟持用凹溝１１，１１に挟持具７，７を当接させ、錘１’，１’を挟持し螺着連結する。逆に、本実施例の錘を分解する時には、同様に挟持用凹溝１１，…に挟持具７，７を当接させ、錘１’，１’を分離する。この様に、挟持用凹溝１１，…を有する錘１’，…は、相互に連結及び分離が容易であって、連結される錘１’…の個数を変えるのみで簡便迅速に錘の重量調整ができ、また、重量の異なる多種の錘を持ち運ぶ労力を要しない。
【００４４】
結びネジ３は、上端に環状部３ａが設けられたネジであって、最上端の錘１’の上方ネジ穴１３に螺着されていて、環状部３ａには道糸が結び付けられる。結びネジ３は金属で作製されるが、特にその金属材質を限定するものではない。腐食し易い金属を用いる場合には、鍍金等によって防錆処理を行うことが好ましい。
【００４５】
結びネジ３と最上端の錘１’を螺着連結し又は分離する時には、環状部３ａを素手又は挟持具で挟持すると共に、挟持用凹溝１１，１１に挟持具７を当接させて錘１’を挟持する。結びネジ３と最上端の錘１’は、この様にして、相互に連結又は分離することが容易であって、簡便且つ迅速に錘の着脱ができる。
【００４６】
集魚部材４は、錘１’の下方ネジ穴１２と略同径の雄ネジ部４ａを有していて、下方ネジ穴１２に着脱自在である。好ましくは、集魚部材４の外径は、錘１’の外径よりも小さくされることが好ましい。錘１’の外周よりも側方に突出する部分が無く、根掛りし難いからである。
【００４７】
集魚部材４は、蓄光性又は発光性で、集魚力を有する。蓄光性又は発光性であれば、その蓄光材料又は発光材料の種類は限定されないが、安価に製造し充分な強度の光を得るために、化学発光物質を封入した集魚部材４を用いることが好ましい。例えば、シュウ酸エステル及び蛍光物質を含有する溶液の入った合成樹脂製外容器と、過酸化水素を含有する溶液の入ったガラス製内容器からなる二層構造の集魚部材４を用いることによって、化学発光を利用することができる。この場合、集魚部材４を屈曲して内容器を破断し、化学発光反応を開始させ、その状態で錘を海中に投入する。
【００４８】
本実施例の錘は、上記の通り集魚部材４が螺着されているから、錘と共に所望の深さに沈められて、集魚力を発揮する。特に、船釣りの際に有用である。
【００４９】
上端に配置された錘１’と結びネジ３の代りに、実施例１の錘１を用いることも可能である。また、連結される錘１’の数は、特に限定されない。
【実施例４】
【００５０】
図８は、実施例４の錘を示す側面図である。
【００５１】
実施例４に係る錘は、実施例１の錘１の下方ネジ穴１２に、天秤式仕掛け５が螺着されてなる。
【００５２】
天秤式仕掛け５の上端付近には、錘１’の下方ネジ穴１２と略同径の雄ネジ部５ａが設けられていて、雄ネジ部５ａは下方ネジ穴１２に着脱自在である。錘と共に天秤式仕掛け５を所望の深さに沈めることができ、特に船釣りの際に有用である。
【００５３】
本実施例では単一の錘１を用いたが、実施例３の様に、連結ネジ２，…によって複数の錘１’を連結し、下端の錘１’に天秤式仕掛け５を螺着しても良い。錘１の代りに、上方ネジ穴１３に結びネジ３が螺着された錘１’を用いることもできる。また、天秤式仕掛け５の形状は特に限定されず、図示された以外の任意形状の天秤式仕掛けを用いても良い。
【実施例５】
【００５４】
図９は、実施例５の錘を示す側面図である。
【００５５】
実施例５に係る錘は、錘１の下方ネジ穴１２に螺着された天秤式仕掛け６を具えている。更に、連結ネジ２で螺着され連結された錘１’，１’の上端の上方ネジ穴１３に、天秤式仕掛け６が螺着されている。
【００５６】
天秤式仕掛け６は、上下両端２箇所の雄ネジ部６ａ，６ａが形成された棒材の略中央から、鉤素を取付可能な棒材が側方に延出された形状とされている。上方の雄ネジ部６ａは錘１の下方ネジ穴１２に螺合され、また、下方の雄ネジ部６ａは、連結された錘１’，１’の上端の上方ネジ穴１３に螺合されている。換言すると、天秤式仕掛け６は仕掛けが設けられた連結ネジであり、その上下２箇所の雄ネジ部６ａ，６ａを介して、錘１と、連結された錘１’，１’が螺着され連結されている。
【００５７】
上記の様に構成された本実施例の錘は、天秤式仕掛け６より低い位置にも錘１’，１’が設けられ全体として重くされていて、しかも天秤式仕掛け６の下方に設けられた錘１’，１’が上方に設けられた錘１よりも重くされているから、海中に投下される際に受ける水の抵抗のために、錘が傾き若しくは上下転倒し又は道糸を軸に回転することを防止できる。
【図面の簡単な説明】
【００５８】
【図１】実施例１の錘を示す斜視図である。
【図２】実施例１の錘を示す側方視断面図である。
【図３】図２のＡ−Ａ線断面図である。
【図４】実施例２の錘を示す斜視図である。
【図５】実施例２の錘を示す側方視断面図である。
【図６】実施例３の錘を示す斜視図である。
【図７】実施例３の錘を示す側方視断面図である。
【図８】実施例４の錘を示す側面図である。
【図９】実施例５の錘を示す側面図である。
【符号の説明】
【００５９】
１，１’  錘
１ａ，３ａ  環状部
１１  挟持用凹溝
１２  下方ネジ穴
１３  上方ネジ穴
２  連結ネジ
３  結びネジ
４  集魚部材
４ａ，５ａ，６ａ  雄ネジ部
５，６  天秤式仕掛け
７  挟持具
【図１】
0003146268.tif 000003
【図２】
0003146268.tif 000004
【図３】
0003146268.tif 000005
【図４】
0003146268.tif 000006
【図５】
0003146268.tif 000007
【図６】
0003146268.tif 000008
【図７】
0003146268.tif 000009
【図８】
0003146268.tif 000010
【図９】
0003146268.tif 000011